(57)【要約】【課題】利き手に装着して親指および人指し指間の開きを抑制することができるゴルフ用手袋を提供する。【解決手段】利き手に使用するゴルフ用手袋１であって、指を挿通したときに親指部７ａを掌側に沿わせ、当該親指部７ａと人指し指部７ｂとの開きを抑制するように縫製している。この場合、前記親指部７ａと人指し指部７ｂとの付け根部２３が親指及び人指し指の付け根より浅く形成することが好ましい。手甲部２と、掌部３と、親指付け根覆い部４とを少なくとも有し、これら３つの部材によって親指と人指し指の開きを確実に抑制することができる。縫製したときに、親指と人指し指との開きを確実に抑制する。【選択図】図１
2013034566.tif 000002
【特許請求の範囲】
【請求項１】
利き手に使用するゴルフ用手袋であって、
指を挿通したときに親指部を掌側に沿わせ、当該親指部と人指し指部との開きを抑制するように縫製したことを特徴とするゴルフ用手袋。
【請求項２】
前記親指部と人指し指部との付け根部が親指及び人指し指の付け根より浅く形成されていることを特徴とする請求項１に記載のゴルフ用手袋。
【請求項３】
手甲部と、掌部と、親指付け根覆い部とを少なくとも有し、
前記手甲部は、手甲部本体と、該手甲部本体の先端から突出する親指から小指までの５本の手甲指部とが形成され、
前記掌部は、掌部本体と、該掌部本体の先端から突出する人指し指から小指までの４本の掌指部と、前記掌部本体の掌人指し指部の付け根と手首側部位との間に形成した前記親指付け根覆い部を接合するＣ字状の親指付け根切欠き部と、該親指付け根切欠き部と人指し指用掌指部の付け根との間に形成された当該人指し指用掌指部とで鈍角のＬ字形状を形成するように突出された掌親指部と、該掌親指部の付け根位置に形成された前記親指付け根切欠き部から延長するスリット部とを少なくとも備え、
前記親指付け根覆い部は、前記掌部の親指付け根切欠き部に縫合されるＣ字状の親指付け根縫合部と、前記掌親指部のスリット部を所定角度開いた状態で当該スリット部を形成する縁部に縫合されるスリット縁縫合部と、このスリット縁縫合部と前記親指付け根縫合部との間を結ぶ前記手甲部の手甲部本体と縫合される手甲部縫合部とを備え
ていることを特徴とする請求項１又は２に記載のゴルフ用手袋。
【請求項４】
前記親指付け根覆い部は、スリット縁縫合部と手甲部縫合部とが略直角に形成され、スリット縁縫合部の手甲部縫合部と反対側と手甲部縫合部のスリット縁縫合部とは反対側との間にＣ字状の付け根縫合部が形成されていることを特徴とする請求項３に記載のゴルフ用手袋。
【請求項５】
前記手甲部及び前記掌部の人指し指、中指、及び小指の側面に逢着されるマチ材を有することを特徴とする請求項３又は４に記載のゴルフ用手袋。
【請求項６】
前記手項部及び前記掌部を縫製して形成される少なくとも薬指挿通部及び小指挿通部は第１関節に対応する位置でカットされていることを特徴とする請求項３乃至５の何れか１項に記載のゴルフ手袋。
【請求項７】
前記掌部の掌本体におけるスリット縁に沿って先端に止め具を有する補強用バンド部を縫合し、前記手甲部本体の掌中指及び掌小指間に前記補強用バンド部の前記止め具を固定する固定具が形成されていることを特徴とする請求項３乃至６の何れか１項に記載のゴルフ用手袋。
【請求項８】
前記止め具及び前記固定具は着脱自在な面ファスナーで構成されていることを特徴とする請求項７に記載のゴルフ用手袋。
【請求項９】
前記固定具側の面ファスナーが手甲部の手首側開口部を止める面ファスナーと一体に形成されていることを特徴とする請求項８に記載のゴルフ用手袋。
【発明の詳細な説明】
【技術分野】
【０００１】
本発明は、利き手でゴルフクラブのグリップ部を把持したときに親指と人指し指との開きを抑制することができる利き手で使用するゴルフ用手袋に関する。
【背景技術】
【０００２】
一般に、ゴルフ用手袋は、ゴルフレーヤーの利き手とは反対側の手にのみに装着され、利き手には装着しないのが普通である。この理由は、ゴルフプレーヤーは、ゴルフクラブのグリップ部を把持した際の感触や打球時における感触を重要視しているためである。
【０００３】
ところが、近年ゴルフクラブの長さが長くなってきており、今までに比べてゴルフクラブのスイング時の遠心力が増加し、グリップ部で滑りが発生し易く、グリップ部を支える握力がより多く必要になっている。また、ゴルフクラブヘッドの体積も大きくなり、シャフト軸回りの慣性モーメントも大きくなって来ているため、インパクト時にヘッドを返しにくくなってきている。
【０００４】
このグリップ部の滑りを防止するために、伸縮性の帯状生地で、利き手の親指と人指し指とが略ゴルフクラブのグリップ部の太さにほぼ相当する間隔に拡げられた状態のその親指と人指し指に嵌入できる大きさのリング状に形成して補助バンドとなし、この補助バンドを利き手の親指と人指し指に嵌め入れた状態で、ゴルフクラブのグリップ部を握ることにより、補助バンドは弾性伸縮してグリップ部の表面に半円状に面接触するとともに、補助バンドの戻り弾力でグリップの両側に位置する親指と人指し指をそれぞれグリップ部面に密着させるようにしたゴルフクラブのグリップ補助バンドとこのグリップ補助バンドを指無し手袋の親指と人指し指の部分に取り付けた補助バンド付手袋が提案されている（例えば、特許文献１参照）。
【先行技術文献】
【特許文献】
【０００５】
【特許文献１】特開平７−３２８１７号公報
【発明の概要】
【発明が解決しようとする課題】
【０００６】
ところで、上記特許文献１に記載された従来例では、伸縮性を有するグリップ補助バンドに親指および人指し指を嵌入した状態で、ゴルフクラブのグリップ部を把持することにより、グリップ補助バンドがグリップ部に半周程度巻き付いてグリップ位置のずれを防止することができる。
【０００７】
しかしながら、上記特許文献１に記載された従来例にあっては、伸縮性を有する利き手用のグリップ補助バンドであり、インパクト時の軸回りの慣性モーメントによるグリップ位置のずれを防止することはできるが、インパクト時に親指と人指し指とが開いてしまうことに対しては伸縮性を有するが故に確実に防止することはできないという未解決の課題がある。
【０００８】
そこで、本発明は、上記従来例の未解決の課題に着目してなされたものであり、利き手に装着して親指および人指し指間の開きを抑制することができるゴルフ用手袋を提供することを目的としている。
【課題を解決するための手段】
【０００９】
上記目的を達成するために、本発明に係るゴルフ用手袋の第１の態様は、利き手に使用するゴルフ用手袋であって、指を挿通したときに親指部を掌側に沿わせ、当該親指部と人指し指部との開きを抑制するように縫製している。
【００１０】
この構成によると、利き手に装着するゴルフ用手袋で、親指部を掌側に沿わせて縫製するにより、ゴルフクラブのグリップ部を把持したときに、親指と小指の開きを抑制して、打球方向の安定性と飛距離の双方を向上させることができる。
【００１１】
また、本発明に係るゴルフ用手袋の第２の態様は、上記第１の態様において、前記親指部と人指し指部との付け根部が親指及び人指し指の付け根より浅く形成されている。
【００１２】
この構成によると、親指と人指し指との付け根部が親指および人指し指の付け根より浅く形成されているので、親指と人指し指との開きを確実に抑制することができる。
【００１３】
また、本発明に係るゴルフ用手袋の第３の態様は、前記第１又は第２の態様において、手甲部と、掌部と、親指付け根覆い部とを少なくとも有し、前記手甲部は、甲本体部と、該甲本体部の先端から突出する親指から小指までの５本の手甲指部とが形成され、前記掌部は、掌本体部と、該掌本体部の先端から突出する人指し指から小指までの４本の掌指部と、前記掌本体部の掌人指し指部の付け根と手首側部位との間に形成した前記親指付け根覆い部を接合するＣ字状の親指付け根切欠き部と、該親指付け根切欠き部と人指し指用掌指部の付け根との間に形成された当該人指し指用掌指部とで鈍角のＬ字形状を形成するように突出された掌親指部と、該掌親指部の付け根部に形成された前記親指付け根切欠き部から延長するスリット部とを少なくとも備え、前記親指付け根覆い部は、前記掌部の親指付け根切欠き部に縫合されるＣ字状の親指付け根縫合部と、前記掌親指部のスリット部を所定角度開いた状態で当該スリット部を形成する縁部に縫合されるスリット縁縫合部と、このスリット縁縫合部と前記付け根縫合部との間を結ぶ前記手甲部の手甲部本体と縫合される手甲部縫合部とを備えている。
【００１４】
この構成によると、手甲部と、掌部とを少なくとも有し、これら３つの部材によって親指と人指し指の開きを確実に抑制することができる。
【００１５】
しかも、親指部が手甲部及び掌部に一体に形成されており、親指部を別体とする必要がないので、縫製したときに、親指と人指し指との開きを確実に抑制することができる。
【００１６】
さらに、掌部の掌親指部の付け根位置にスリット部を形成し、このスリット部を開いた状態でスリット部を形成する縁部を親指付け根覆い部のスリット縁縫合部に縫合することにより、掌親指部を掌本体部に沿わせることができる。
【００１７】
また、手甲部の手甲親指部が手甲本体部と連接され、掌部の掌親指部が掌本体部と連接されており、これら間に縫合部が存在しないので、グリップ部を把持したときに掌親指部の縫合部がグリップ部に接触することがない。
【００１８】
また、本発明に係るゴルフ用手袋の第４の態様は、上記第３の態様において、前記親指付け根覆い部が、スリット縁縫合部と手甲部縫合部とが略直角に形成され、スリット縁縫合部の手甲部縫合部と反対側と手甲部縫合部のスリット縁縫合部とは反対側との間にＣ字状の付け根縫合部が形成されている。
【００１９】
この構成によると、親指付け根覆い部に、掌親指部のスリット部を形成する縁部に縫合するスリット縁縫合部が手甲部縫合部と略直角に形成され、スリット縁縫合部を掌親指部のスリットを形成する縁部に縫合するので、親指付け根覆い部で掌親指部の外方への引張力に抗することができる。
【００２０】
また、本発明に係るゴルフ用手袋の第５の態様は、前記手甲部及び前記掌部の人指し指、中指、及び小指の側面に逢着されるマチ材を有する。
【００２１】
この構成によると、手甲部及び掌部の人指し指、中指、及び小指の側面をマチ材によって逢着するので、指挿通部の形状を指形状に応じた断面形状とすることができる。
【００２２】
本発明に係るゴルフ用手袋の第６の態様は、前記手項部及び前記掌部を縫製して形成される少なくとも薬指挿通部及び小指挿通部は第１関節に対応する位置でカットされている。
【００２３】
この構成によると、親指を除く他の４本の指について第１関節から先がグリップ部に直接接触するので、グリップ感覚を向上させることができる。
【００２４】
また、本発明に係るゴルフ用手袋の第７の態様は、前記掌部の掌本体におけるスリット縁に沿って先端に止め具を有する補強用バンド部を縫合し、前記手甲部本体の掌中指及び掌小指間に前記補強用バンド部の前記止め具を固定する固定具が形成されている。
【００２５】
この構成によると、掌側から親指部を通って手甲部に至る補強用バンドが設けられているので、親指の付け根部から第１関節までの間が補強用バンド部で覆われることになり、親指の開きを確実に防止することができる。
【００２６】
また、本発明に係るゴルフ用手袋の第８の態様は、上記第７の態様において、前記止め具及び前記固定具が着脱自在な面ファスナーで構成されている。
【００２７】
この構成によると、補強用バンド部の止め部の固定位置を自在に調整することができる。
【００２８】
また、本発明に係るゴルフ用手袋の第９の態様は、前記固定具側の面ファスナーが手甲部の手首側開口部を止める面ファスナーと一体に形成されている。
【００２９】
この構成によると、補強バンド部の固定具の位置決めを容易に行うことができるとともに、固定具の縫製工程を１回で済ませることができる。
【発明の効果】
【００３０】
本発明によれば、利き手用のゴルフ手袋を、指を挿通したときに親指部を掌側に沿わせ、親指部と人指し指部との開きを抑制するように縫製したので、ゴルフクラブのグリップ部を把持したときに、親指と人指し指との開きを抑制して、打球方向の安定性と飛距離とをともに向上させることができる。
【図面の簡単な説明】
【００３１】
【図１】本発明のゴルフ手袋の一実施形態の掌側から見た状態を示す図である。
【図２】本発明のゴルフ手袋の甲側から見た状態を示す図である。
【図３】図１のゴルフ用手袋に指を挿通した状態を示す図である。
【図４】ゴルフ用手袋を構成するパーツを示す図であって、（ａ）は手甲部、（ｂ）掌部、（ｃ）は親指付け根覆い部、（ｄ）は補強用バンド部である。
【図５】マチ材を示す図であって、（ａ）は指間マチ材を示す図、（ｂ）は指間マチ材の縫合状態を示す図である。
【図６】ゴルフ用手袋の使用状態を示す斜視図である。
【発明を実施するための形態】
【００３２】
以下、本発明の実施の形態を図面に基づいて説明する。
【００３３】
図１は、本発明に係るゴルフ用手袋を甲側から見た図であって、図中、１はゴルフ用手袋である。このゴルフ用手袋１は、図４に示す装着者の手の甲に接触する手甲部２、装着者の掌に接触する掌部３、親指付け根覆い部４と、図５に示すマチ材５とを縫合することにより、手の甲及び手の平を挿通する本体部６と、この本体部６から突出する親指、人指し指、中指、薬指及び小指を挿通する親指部７ａ、人指し指部７ｂ、中指部７ｃ、薬指部７ｄ及び小指部７ｅが形成されている。素材としては、エチオピアシープ等の天然皮革、人工皮革、合成皮革等を使用することができ、フィット感や手触りに加えて伸びが少ない天然皮革が好適である。
【００３４】
そして、親指部７ａ及び人指し指部７ｂに指を挿通した状態で、図３に示すように、親指部７ａを掌部３に沿わせ、ゴルフクラブのグリップ部を把持した状態で、親指部７ａと人指し指部７ｂとの必要以上の開きを抑制するように縫製されている。
【００３５】
手甲部２は、図４（ａ）に示すように、手の甲を覆う手甲部本体２１と、この手甲部本体２１の手首側端部２１ａとは反対側の先端から突出して手甲親指部２２ａ、手甲人指し指部２２ｂ、手甲中指部２２ｃ、手甲薬指部２ｄ及び手甲小指部２ｅが形成されている。ここで、手甲親指部２２ａを除く４本の指部２２ｂ〜２２ｅは、手甲部本体２１の手首側端部２１ａと略直交する方向に突出されている。これに対して手甲親指部２２ａは、手甲人指し指部２２ｂに対して斜め外側に突出されている。
【００３６】
また、手甲親指部２２ａと手甲人指し指部２２ｂとの付け根部２３は、人間の親指と人指し指との付け根位置より例えば１０ｍｍ程度浅めに設定されて、親指と人指し指とが開き難くなるようにされている。
【００３７】
さらに、手甲中指部２２ｃ、手甲薬指部２２ｄ及び手甲小指部２２ｅのそれぞれについては第１関節から先の部分がカットされている。
【００３８】
また、手甲部本体２１の小指側における手甲薬指部２２ｄと手甲小指部２２ｅとの間に対向する手首側端部２１ａには、手甲薬指部２２ｄ及び手甲小指部２２ｅ間に向かって手甲部本体２１の半分程度まで延長する手首側開口部２１ｂが形成されている。
【００３９】
そして、手首側開口部２１ｂの親指側に沿って逆Ｌ字状の面ファスナーの固定側部材が逢着される面ファスナー固定部側部材逢着部２４が形成されている。
【００４０】
また、手甲部本体２１の手首側開口部２１ｂより外側部には、内面側に帯状ゴム２５を左右方向に逢着して伸縮部２６が形成されている。この伸縮部２６の手首側開口部２１ｂと対向する端面に手首側開口部２１ｂの開きを止める止め具２７が逢着され、この止め具２７の裏面側に面ファスナーの係着部材２８が逢着されている。
【００４１】
また、掌部３は、図４（ｂ）に示すように、掌を覆う掌部本体３１と、この掌部本体３１の手首側端部３１ａとは反対側の先端から突出されて手甲部２の手甲親指部２２ａを除く４本の指部２２ｂ〜２２ｅに対応する掌人指し指部３２ｂ、掌中指部３２ｃ、掌薬指部３２ｄ、掌小指部３２ｅが形成されている。
【００４２】
また、掌部本体３１には、掌人指し指部３２ｂの付け根と手首側端部３１ａに近い手首側部位との間に親指付け根部４を接合するＣ字状の親指付け根切欠き部３１ｂが形成されている。
【００４３】
さらに、掌部本体部３１の親指付け根切欠き部３１ｂと掌人指し指部３２ｂの付け根との間に人指し指部３２ｂとで鈍角のＬ字形状すなわちＬ字の短辺が長辺に対して１２０度程度開いた形状を形成するように掌親指部３２ａが突出形成されている。この掌親指部３２ａの付け根には親指付け根切欠き部３１ｂから所定長さ例えば掌親指部３２ａの幅の半分程度まで湾曲延長するスリット部３３が形成されている。
【００４４】
そして、このスリット部３３の小指側に沿うように補強バンド部７２を逢着するバンド逢着部３５が形成されている。
【００４５】
親指付け根覆い部４は、掌部本体３１の親指付け根切欠き部３１ｂに縫合されるＣ字状の親指付け根縫合部４１ａと、掌部３の掌親指部３２ａのスリット部３３を所定角度開いた状態で、掌親指部３２ａのスリット部３３に沿うスリット縁部３４に縫合されるスリット縁縫合部４１ｂと、このスリット縁縫合部４１ｂと親指付け根縫合部４１ａとの間を結ぶ手甲部２の手甲部本体２１と縫合される手甲部縫合部４１ｃとを備えて略逆Ｄ字形状に形成されている。
【００４６】
ここで、スリット縁縫合部４１ｂと手甲部縫合部４１ｃは略直角に形成されている。このため、親指付け根覆い部４を掌部３の掌部本体３１のＣ字状の親指付け根切欠き部３１ｂに親指付け根縫合部４１ａを縫合し、掌親指部３２ａのスリット縁部３４を縫合したときに、両者の縫合線６１が掌部本体３１の手首側端部３１ａと略平行になるように設定されている。
【００４７】
マチ材５は、人指し指部７ｂと中指部７ｃとの対向側面、中指部７ｃと薬指部７ｄの対向側面及び薬指部７ｄと小指部７ｅとの対向側面を形成するものである。このマチ材５のうち、例えば、人指し指部７ｂと中指部７ｃとの対向側面を形成するマチ材５Ａ，５Ｂは、図５（ａ）に示すように、左右対称形状に型抜きした型抜き部材を、左右の中央部で切断して形成する。この型抜き部材は、本体５１の一端側に形成した下辺に対して５０度程度の傾斜角度で外方に延長する傾斜合わせ部５２を有する。
【００４８】
そして、この型抜き部材を左右の中央部で切断してマチ材５Ａ，５Ｂが形成される。このマチ材５Ａ，５Ｂは、図５（ａ）で鎖線図示のように、それらの傾斜合わせ部５２が互いに重なるようにＬ字形状とし、その重なり合った傾斜合わせ部の中央部を縫合線５３で縫合してから縫合部で折り曲げてマチ材５Ａ及び５Ｂを重ね合わすことにより、指間の対向側部が形成される。なお、図５（ｂ）は中指部７ｃ及び薬指部７ｄの対向側面と、薬指部７ｄの対向側面及び小指部７ｅの対向側面を形成するマチ材５Ｂ及び５Ｃである。
【００４９】
そして、掌部３の親指付け根切欠き部３１ｂに親指付け根覆い部４の親指付け根縫合部４１ａを重ねて縫合し、次いで、掌親指部３２ａを図４（ｂ）で一点鎖線図示のようにスリット部３３位置で約１２０度開いて、スリット縁部３４と親指付け根覆い部４のスリット縁縫合部４１ｂとを重ねて縫合する。これにより、掌親指部３２ａが手甲部２の手甲親指部２２ａと重なる形状となる。
【００５０】
そして、手甲部２の裏面と親指付け根覆い部４を縫合した掌部３の裏面とを重ねて、互いの小指側側面を縫合するとともに、手甲部２の親指側側面と手甲親指部親指側側面となる掌部本体４１の側面、親指付け根覆い部４の手甲部縫合部４１ｃとを縫合し、さらに掌親指部３２ａと手甲親指部２２ａの周囲を縫合してから手甲人指し指部２２ｂ及び掌人指し指部３２ｂの親指側側面を縫合する。
【００５１】
その後、手甲人指し指部２２ｂ及び掌人指し指部３２ｂの間に図５（ｂ）のように縫合したマチ材５Ａを縫合部が指の付け根側となるように挿入してマチ材５Ａの周囲を縫合し、次いでマチ材５Ｂを手甲中指部２２ｃ及び掌中指部３２ｃ間に挿入してマチ材５Ｂの側縁と手甲中指部２２ｃ及び掌中指部３２ｃの側縁とを縫合する。
【００５２】
その後、同様に手甲中指部２２ｃ及び掌中指部２２ｃと手甲薬指部２２ｄ及び掌中指部３２ｃとの間にマチ材５Ｂ及び５Ｃを挿入して同様の縫合を行い、最後に手甲薬指部２２ｄ及び掌薬指部３２ｄと手甲小指部３２ｅ及び掌小指部３２ｅ間にマチ材５Ｂ及び５Ｃを挿入して、上記と同様の縫合を行う。
【００５３】
以上の縫合によって、親指部７ａ、人指し指部７ｂ、中指部７ｃ、薬指部７ｄ及び小指部７ｅが形成される。次いで、中指部７ｃ、薬指部７ｄ及び小指部７ｅのそれぞれについて第１関節までの部分のみを残し、その先端側を切断する。
【００５４】
そして、手甲部本体２の手首側開口部２１ｂの小指側側縁に手首側開口部２１ｂの開きを止める止め具２７を逢着し、最後に手甲部本体２１と掌部本体３１の手首側端部及び掌部本体３１の手首側開口部２１ｂの周囲に縁取り部材を縫合する。
【００５５】
以上の縫合処理が終了すると、縫合部が内側となるように裏返して、手甲部２及び掌部３の表面を外側とすることにより、ゴルフ手袋１の外形が形成される。その後、手甲部３の面ファスナー固定側部材逢着部２４に面ファスナー固定部材７１を逢着するとともに、掌部本体３１のバンド逢着部３５に補強用バンド７２の一端を逢着する。
【００５６】
次に、上記実施形態の動作を説明する。
【００５７】
今、ゴルフ用手袋１に右利きのゴルフプレーヤーの利き手である右手を挿入すると、図３に示すように、右手の親指を挿通した親指部７ａが掌部本体側に沿うようにして人指し指部７ｂと対向する位置となり、親指が人指し指の裏側に配置される。
【００５８】
このため、図６に示すように、利き手でない反対側の反利き手にも通常のゴルフ用手袋を装着してから、ゴルフクラブ８０のグリップ部８１をオーバーラッピンググリップやインターロッキンググリップで把持すると、利き手用のゴルフ手袋１の親指部７ａと人指し指部７ｂとの開きが規制された状態で、グリップ部８１を把持することができる。
【００５９】
そして、この状態で、一旦反利き手側をグリップ部８１から離して、補強用バンド部７２を親指部７ａの第１関節と付け根との間の外側を回して先端の裏面に設けられた面ファスナーの係着部材７３を手甲部側の面ファスナーの固定側部材７１に係着させて固定する。このとき、補強用バンド部７２による締付力は、面ファスナーの係着部材７３の固定側部材７１の係着位置を選択することにより調整する。
【００６０】
このように補強用バンド部７２を掌部３側から親指部７ａの付け根から第１関節までの間の外側を回して手甲部２の小指側に固定することにより、親指部７ａが人指し指部７ｂから開くことを確実に防止することができる。すなわち、補強用バンド部７２によって、親指部７ａが人指し指部７ｂに重なるように締付けることができるので、グリップ部８１を把持した状態で、ゴルフクラブ７１をスイングしてインパクトしたときのグリップ部８１に伝達される荷重を親指部７ａに挿通した利き手の親指で受けることができる。このため、握力が小さい女性や高齢者でもグリップ部８１をしっかりと把持することができ、インパクト時に当たり負けすることがなくなる。したがって、打球方向の安定性及び飛距離を向上させることができる。また、アベレージヒッターでも同様の効果を得ることができる。さらには、初心者や中級者に利き手の使い方を学習させるために使用することもできる。
【００６１】
そして、利き手にゴルフ用手袋１を装着した場合でも、中指部７ｃ、薬指部７ｄ及び小指部７ｅについては第１関節から先が露出することになるので、グリップ部８１を把持したときのグリップ感覚を損なうことはない。
【００６２】
また、掌部本体３１に掌親指部３２ａを一体に形成しており、従来の反利き手用のゴルフ手袋のように、親指部を別部材として縫合する場合に比較してパーツを一つ減らすことができるとともに、耐久性を向上させることができる。また、掌親指部３２ａのスリット縁部３４を約１２０度開いた状態で、親指付け根覆い部４のスリット縁縫合部４１ｂと縫合するので、親指を挿通していない状態では、図１に示すように親指部７ａが他の指部７ｂ〜７ｅと同じ平面上に位置するが、親指部７ａ及び人指し指部７ｂに親指及び人指し指を挿通することにより、親指部７ａが人指し指部７ｂに重なって丁度グリップ部８１を把持し易い形状となり、この状態での親指部７ａと人指し指部７ｂとの間の開きを規制することができる。
【００６３】
さらに、補強用バンド部７２を設けることにより、親指部７ａと人指し指部７ｂとの間の開きをより確実に防止することができる。
【００６４】
なお、通常の反利き手に装着するゴルフ用手袋と同様の構成の利き手用のゴルフ手袋を製作し、その親指部と人指し指部との間を縫合することも考えられるが、この場合には、親指部と人指し指部との縫合が困難であるとともに、縫合部の端部に大きな力が掛かるので、縫合部が避けて耐久性が低下するという問題点がある。
【００６５】
これに対して、本実施形態によると、図６に示すように、ゴルフクラブ８０のグリップ部８１を把持した状態で、親指部７ａと人指し指部７ｂとの付け根の縫合部がグリップ部８１と交差する方向となるので、耐久性を確保することができる。
【００６６】
また、前述した従来例と違って、ゴルフ用手袋自体に親指と人指し指との開きを規制する機能を持たせているので、補強用バンド部７２と相俟ってより確実な開き防止効果を発揮することができる。
【００６７】
また、上記実施形態では、手甲部本体２１の手首側開口部２１ｂの開きを止める止め具２７の面ファスナーの係着部材２８と補強用バンド部７２の面ファスナーの係着部材７３とを固定する面ファスナーの固定側部材を一体化したので、部品点数を減少させることができるとともに、逢着工程も一つ減らすことができる。さらに、止め具２７用の面ファスナー固定側部材と補強用バンド７２用の面ファスナー固定側部材との双方の位置決めを行う必要がなく、例えば止め具２７用の面ファスナー固定側部材となる部位の位置決めを行えば、補強用バンド７２の面ファスナー固定側部材の位置決めも行うことができ、この分縫製作業を簡略化することができる。
【００６８】
なお、上記実施形態では、補強用バンド部７２を設けた構成とした場合について説明したが、これに限定されるものではなく、少なくとも親指部７ａ及び人指し指部７ｂの周囲に伸びの少ない素材を適用した場合には、補強用バンド部７２を省略することができる。
【００６９】
また、上記実施形態では、止め具２７用の面ファスナー固定側部材と補強用バンド部７２の面ファスナー固定側部材とを一体化した場合について説明したが、これに限定されるものではなく、止め具２７用の面ファスナー固定側部材と補強用バンド部７２の面ファスナー固定側部材とを別々に構成することもできる。
【００７０】
さらに、上記実施形態では、親指部７ａ及び人指し部７ｂを除く中指部７ｃ、薬指部７ｄ及び小指部７ｅを第１関節から先の部分をカットした場合について説明したが、これに限定されるものではなく、中指部７ｃ、薬指部７ｄ及び小指部７ｅについては指挿通孔部だけを形成して指全部を露出させるようにしてもよい。
【００７１】
また、止め具２７や補強バンド部７２の固定方法は上記のように面ファスナーを使用する場合に限らず、他の任意の止め具を適用することができる。
【００７２】
なお、上記実施形態では右利き用の右手のゴルフ手袋について説明したが、これに限定されるものではなく、左利き用の左手のゴルフ手袋も左右方向逆向きとすることにより、上記と同様にして製作することができる。
【符号の説明】
【００７３】
１…ゴルフ用手袋、２…手甲部、３…掌部、４…親指付け根覆い部、５…マチ材、７ａ…親指部、７ｂ…人指し指部、７ｃ…中指部、７ｄ…薬指部、７ｅ…小指部、２１…手甲部本体、２１ａ…手首側端部、２１ｂ…手首側開口部、２２ａ…手甲親指部、２２ｂ…手甲人指し指部、２２ｃ…手甲中指部、２２ｄ…手甲薬指部、２２ｅ…手甲小指部、２３…付け根部、２４…面ファスナー固定部側部材逢着部、２７…止め具、２８…面ファスナー係着部材、３１…掌部本体、３１ａ…手首側端部、３１ｂ…親指付け根切欠き部、３２ａ…掌親指部、３２ｂ…掌人指し指部、３２ｃ…掌中指部、３３…スリット部、３４…スリット縁部、３５…バンド逢着部、４１ａ…親指付け根縫合部、４１ｂ…スリット縁縫合部、４１ｃ…手甲部縫合部、６１…縫合線、７１…、７２…補強用バンド部、７３…面ファスナー係着部材
【図１】
2013034566.tif 000003
【図２】
2013034566.tif 000004
【図３】
2013034566.tif 000005
【図４】
2013034566.tif 000006
【図５】
2013034566.tif 000007
【図６】
2013034566.tif 000008